(57)【要約】【課題】  ディスク装置に起因した音声ノイズの影響を低減し、クリアな音声データを取得可能な小型の電子機器を提供する。【解決手段】  機器本体６４の底壁６４ａと上壁６４ｂとの間に液晶表示装置およびディスク装置４０が配設され、互いに対向している。底壁と上壁との間に挟まれて緩衝部材８０が設けられている。緩衝部材は、液晶表示装置に装着され液晶表示装置を支持した第１支持部８１と、ディスク装置に装着されディスク装置を支持した第２支持部８２とを一体に有している。【選択図】  図５
2006073066.tif 000002
【特許請求の範囲】
【請求項１】
底壁およびこの底壁に対向する上壁を有した機器本体と、
前記機器本体内で前記底壁と上壁との間に配設された液晶表示装置と、
ほぼ矩形状の筐体および筐体内に収納されたディスク状の記録媒体を具備し、前記機器本体内で前記底壁と上壁との間で前記液晶表示装置と対向して設けられたディスク装置と、
前記機器本体内で前記底壁と上壁との間に挟まれて配設されているとともに、前記液晶表示装置に装着され前記液晶表示装置を支持した第１支持部と前記ディスク装置に装着され前記ディスク装置を支持した第２支持部とを一体に有した緩衝部材と、
を備えた電子機器。
【請求項２】
前記第１支持部は、前記機器本体の上壁と前記液晶表示装置との隙間および前記液晶表示装置とディスク装置との隙間に配設され、前記液晶表示装置を前記上壁および底壁に対して支持し、
前記第２支持部は、前記液晶表装置とディスク装置との隙間および前記ディスク装置と前記底壁との隙間に配設され、前記ディスク装置を前記液晶表示装置に対して支持している請求項１に記載の電子機器。
【請求項３】
前記機器本体内で前記ディスク装置と底壁と間に配設された電子部品を備え、前記緩衝部材は、前記電子部品と前記上壁との間に配設されている請求項１に記載の電子機器。
【請求項４】
前記緩衝部材は、前記底壁および電子部品に当接して設けられている請求項３に記載の電子機器。
【請求項５】
前記第１支持部は前記液晶表示装置の周縁部に装着され、前記第２支持部は前記ディスク装置の周縁部に装着されている請求項１ないし４のいずれか１項に記載の電子機器。
【請求項６】
底壁およびこの底壁に対向した上壁を有した機器本体と、
前記機器本体内で前記底壁と上壁との間に配設された液晶表示装置と、
ほぼ矩形状の筐体および筐体内に収納されたディスク状の記録媒体を具備し、前記機器本体内で前記底壁と上壁との間で前記液晶表示装置と対向して設けられたディスク装置と、
前記底壁と上壁との間に挟まれて配設されているとともに前記液晶表示装置に装着され、前記機器本体から前記液晶表示装置に作用する衝撃を吸収する第１緩衝部材と、前記機器本体と液晶表示装置との間に挟まれているとともに前記ディスク装置に装着され、前記ディスク装置に作用する衝撃を吸収する第２緩衝部材と、
を備えた電子機器。
【請求項７】
前記第１緩衝部材は前記液晶表示装置の周縁部に装着され、前記第２緩衝部材は前記ディスク装置の周縁部に装着されている請求項６に記載の電子機器。
【請求項８】
前記ディスク装置は、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体内に設けられ前記ヘッドアクチュエータに接続された基板ユニットと、前記筐体の外面に対向して設けられ、前記基板ユニットに接続された制御回路基板と、を備えている請求項１ないし７のいずれか１項に記載の電子機器。
【発明の詳細な説明】
【技術分野】
【０００１】
この発明は、ディスク装置を搭載した電子機器に関する。
【背景技術】
【０００２】
近年、携帯電話、デジタルカメラ、ビデオカメラ、パーソナルデジタルアシスタント（ＰＤＡ）等に代表される携帯可能な小型の電子機器では、記録装置として、磁気ディスク装置、光ディスク装置などのディスク装置を搭載したものが提供されている。  
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
上記のような小型の電子機器では、携帯性を高めるため、機器本体は小さく形成されている。そのため、機器本体内における構成部材の設置スペーサが狭く、ディスク装置および他の部品は互いに隣接してあるいは重なって設置されている。この場合、落下等により機器本体に衝撃が作用すると、機器本体内の構成部品同士が衝突し、損傷する虞がある。このような構成部品同士の衝突を防止するため、例えば、電池パックとディスク装置との間に緩衝部材を配置した電子機器が提供されている（例えば、特許文献１参照）、
【特許文献１】特開２００３−３４６７５５号公報
【発明の開示】
【発明が解決しようとする課題】
【０００４】
上記のような小型の電子機器によれば、緩衝部材により電池パックとディスク装置との衝突を防止することができる。しかしながら、緩衝部材のみでは、機器本体に作用する過度の衝撃を充分に吸収することが難しく、緩衝部材を介してディスク装置に衝撃が伝わる虞がある。ディスク装置に大きな衝撃が作用した場合、ディスクに記録された情報が破損するという問題が生じる。
【０００５】
この発明は以上の点に鑑みなされたもので、その目的は、ディスク装置に作用する衝撃を抑制し、信頼性の向上した小型の電子機器を提供することにある。
【課題を解決するための手段】
【０００６】
上記目的を達成するため、この発明に係る電子機器は、底壁およびこの底壁に対向した上壁を有した機器本体と、前記機器本体内で前記底壁と上壁との間に配設された液晶表示装置と、ほぼ矩形状の筐体および筐体内に収納されたディスク状の記録媒体を具備し、前記機器本体内で前記底壁と上壁との間で前記液晶表示装置と対向して設けられたディスク装置と、前記機器本体内で前記底壁と上壁との間に挟まれているとともに、前記液晶表示装置の周縁部に装着され前記液晶表示装置を支持した第１支持部と前記ディスク装置の周縁部に装着され前記ディスク装置を支持した第２支持部とを一体に有した緩衝部材と、を備えている。
【発明の効果】
【０００７】
この発明によれば、機器本体に作用する衝撃を緩衝部材によって吸収するとともに、過度な衝撃に対しては、緩衝部材および液晶表示装置によって吸収し、ディスク装置に大きな衝撃が作用することを防止できる。これにより、ディスク装置における情報の破壊を防止し、信頼性の向上した電子機器を提供することができる。
【発明を実施するための最良の形態】
【０００８】
以下図面を参照しながら、この発明の電子機器を携帯電話機に適用した第１の実施形態について詳細に説明する。  
図１に示すように、携帯電話機６０は、機器本体として、それぞれ偏平な矩形箱状に形成された第１本体６２および第２本体６４を備えている。第２本体６４は、第１本体６２に対し、ヒンジ部６６を介して回動自在に連結されている。第１本体６２には、テンキー６８および複数の操作キー７０が露出して設けられている。第１本体６２の内部には、マイクロホン７２等が配設されている。
【０００９】
第２本体６４には、送信情報、受信情報等を表示する液晶表示装置７４、スピーカ７６、ディスク装置として機能するハードディスクドライブ（以下ＨＤＤと称する）４０等が設けられている。後述するように、ＨＤＤ４０は、第２本体６４内で液晶表示装置７４と対向して設けられている。
【００１０】
次に、ＨＤＤについて詳細に説明する。図２および図３に示すように、ＨＤＤ４０は後述する種々の部材が収納されたほぼ矩形箱状の筐体１０と、筐体１０の外面に重ねて設けられた矩形状の制御回路基板１２と、を備えている。筐体１０および制御回路基板１２は、長さＬが４ｃｍ以下、例えば、３２ｍｍ、幅Ｗが２４ｍｍに形成され、厚さＴが５ｍｍあるいは３．３ｍｍ程度に形成されている。厚さＴは、収納するディスクの枚数あるいはヘッドの数に応じて設定されている。制御回路基板１２は、筐体１０と同一の長さおよび幅に形成されている。
【００１１】
筐体１０は、互いにほぼ等しい寸法に形成された第１シェル１０ａおよび第２シェル１０ｂを有している。第１シェル１０ａは金属により形成され、ほぼ矩形状の底壁１１ａおよび底壁の周縁部に立設された側壁を一体に備えている。第２シェル１０ｂは金属により形成され、ほぼ矩形状のトップカバー１１ｂおよびトップカバーの周縁部に立設された側壁を一体に備えている。
【００１２】
第１および第２シェル１０ａ、１０ｂは、その側壁同士が対向した状態で、互いに向い合わせて配置されている。第１および第２シェル１０ａ、１０ｂの側壁外面には帯状のシール材１６が全周に渡って巻き付けられ、このシール材により側壁同士が互いに接続されているとともに、側壁間の隙間がシールされている。これにより、矩形箱状の筐体１０が構成されている。
【００１３】
第１シェル１０ａの底壁１１ａ外面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１４】
図２および図３に示すように、筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１５】
筐体１０内には、情報記録媒体として機能する直径１インチ以下、例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ、およびヘッドＩＣ等を有する基板ユニット３４等が収納されている。
【００１６】
スピンドルモータ２２は円柱形状のハブを有し、このハブには、磁気ディスク２０が同軸的に嵌合されている。ハブの端部には、環状のクランプリング４４が嵌合され、磁気ディスク２０の円周縁部を保持している。これにより、磁気ディスク２０はロータに固定され、ロータと一体的に回転可能に支持されている。
【００１７】
ヘッドアクチュエータを構成するキャリッジ２６は、第１シェル１０ａの内面上に固定された軸受組立体５２、軸受組立体から延出したアーム、アームの先端から延出した細長い板状のサスペンション、軸受部からアームと反対方向に延出した支持フレームを備えている。サスペンションの延出端には、図示しないジンバル部を介して磁気ヘッド２４が支持されている。磁気ヘッド２４はサスペンションのばね力により磁気ディスク２０表面に向かって所定のヘッド荷重が印加されている。支持フレームには、ＶＣＭ２８を構成するボイスコイルが一体的に固定されている。
【００１８】
制御回路基板１２は筐体１０の実装面１１とほぼ等しいの長さおよび幅を有した矩形状を有している。筐体１０の実装面１１には、スピンドルモータ２２に対応した円形の凸部、および軸受組立体５２に対応した円形の凸部がそれぞれ形成されている。制御回路基板１２には、これらの凸部にそれぞれ対応した円形の開口３２ａ、３２ｂが形成されている。制御回路基板１２上には、複数の電子素子３３、コネクタ３５等が実装されている。
【００１９】
制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部は、それぞれ制御回路基板１２の開口３２ａ、３２ｂ内に配置されている。制御回路基板１２上に実装されたコネクタ３５は、基板ユニット３４のコネクタに接続される。
【００２０】
上記のように構成されたＨＤＤ４０は、図１、図４および図５に示すように、携帯電話機６０の第２本体６４内に配設されている。第２本体６４はほぼ矩形状の底壁６４ａ、およびこの底壁に隙間を置いて対向したほぼ矩形状の上壁６４ｂを有している。上壁６４ｂには矩形状の表示窓５０が形成され、この表示窓には透明な保護パネル５３が装着されている。液晶表示装置７４は、第２本体６４内で底壁６４ａと上壁６４ｂとの間に配設されているとともに、保護パネル５３とほぼ平行に対向している。液晶表示装置７４は、隙間を置いて対向配置された一対の透明基板、および、これらの基板間に封入された液晶層を有した液晶表示パネルと、この液晶表示パネルと対向して設けられたバックライト等を備え、全体として偏平な矩形状に形成されている。
【００２１】
ＨＤＤ４０は、底壁６４ａと上壁６４ｂとの間、ここでは、底壁６４ａと液晶表示装置７４との間に配設され、液晶表示装置とほぼ平行に対向している。第２本体６４内には、電子部品としてプリント回路基板６５が配設され、ＨＤＤ４０と底壁６４ａとの間に位置している。プリント回路基板６５は底壁６４ａに支持されている。
【００２２】
図４および図５に示すように、液晶表示装置７４の周縁部およびＨＤＤ４０の周縁部には、ほぼ矩形枠状の緩衝部材８０が装着され全周に渡って延びている。緩衝部材８０は、衝撃吸収能力に優れた粘弾性材、例えば、ゴム、ゲル状ゴム、発砲材等によって形成されている。緩衝部材８０は、底壁６４ａおよび上壁６４ｂの内面に接触し、これらの間に挟まれた状態で第２本体６４内に配置されている。
【００２３】
緩衝部材８０は、液晶表示装置７４の周縁部に装着された第１支持部８１、およびＨＤＤ４０の周縁部に装着された第２支持部８２を一体に有している。第１支持部８１は、液晶表示装置７４の周縁部を覆っているとともに、上壁６４ｂ内面と液晶表示装置７４との間隙、および液晶表示装置とＨＤＤ４０との間隙に位置している。これにより、第１支持部８１は、底壁６４ａおよび上壁６４ｂに対して液晶表示装置７４を弾性的に支持している。
【００２４】
第２支持部８２は、ＨＤＤ４０の周縁部を覆っているとともに、ＨＤＤ４０と液晶表示装置７４との間隙、およびＨＤＤとプリント回路基板５４との間隙に位置している。これにより、第２支持部８１は、液晶表示装置７４に対して液晶表示装置７４を弾性的に支持している。  
以上のようにして、液晶表示装置７４およびＨＤＤ４０は単一の緩衝部材８０により支持され、第２本体６４内の所定位置に保持されている。
【００２５】
上記のように構成された携帯電話機６０によれば、液晶表示装置７４は緩衝部材８０により第２本体６４に対して支持され、ＨＤＤ４０は緩衝部材８０により液晶表示装置７４に対して支持されている。第２本体６４に外部衝撃等が作用した場合、この衝撃は、液晶表示装置７４を保持した緩衝部材８０の緩衝効果により減衰される。衝撃は、ＨＤＤ４０に比較して柔軟性を有した液晶表示装置７４により更に減衰されるとともに、ＨＤＤ４０を保持している緩衝部材の第２支持部８２により減衰される。従って、ＨＤＤに入る衝撃加速度はさらに小さくなる。同時に、緩衝部材８０により、電子部品間の衝突、特に、液晶表示装置７４とＨＤＤとの衝突が防止される。これにより、ＨＤＤ４０に多大な衝撃が作用することを防止でき、磁気ディスクのデータ破損等を防ぐことができる。
【００２６】
過大な衝撃が作用した場合、液晶表示装置７４が破壊することが考えられるが、この破壊により衝撃力が吸収される。そのため、液晶表示装置７４と抱き合わせて支持されたＨＤＤに作用する衝撃力が緩和され、ＨＤＤの破壊を防ぐことが可能となる。
【００２７】
また、上記構成によれば、単一の緩衝部材８０により液晶表示装置７４およびＨＤＤ４０を保持および位置決めすることができ、部品点数の低減および装置全体の小型化を図ることが可能となる。
【００２８】
次に、この発明の第２の実施形態に係る携帯電話機について説明する。図６に示すように、第２の実施形態によれば、緩衝部材は、独立した第１緩衝部材８０ａおよび第２緩衝部材８０ｂにより構成されている。第１緩衝部材８０ａは、第１本体６４の底壁６４ａと上壁６４ｂとの間に挟まれているとともに、液晶表示装置７４の周縁部に装着されている。液晶表示装置７４は、第１緩衝部材８０ａにより、底壁６４ａおよび上壁６４ｂに対して弾性的に支持されている。これにより、第１緩衝部材８０ａは、第１本体６４から液晶表示装置に作用する衝撃を減衰する。
【００２９】
第２緩衝部材８０ｂは、第１本体６４の底壁６４ａと液晶表示装置７４との間に挟まれて配置されているとともにＨＤＤ４０の周縁部に装着されている。ＨＤＤ４０は、第２緩衝部材８０ｂにより、液晶表示装置７４および底壁６４ａに対して弾性的に支持されている。これにより、ＨＤＤ４０に作用する衝撃を、液晶表示装置７４および第２緩衝部材８０ｂにより吸収し減衰することができる。
【００３０】
図７に示すように、この発明の第３の実施形態に係る携帯電話機によれば、緩衝部材８０は、第１本体６４の底壁６４ａ上に設けられたプリント回路基板５４と上壁６４ｂとの間に配設されている。この緩衝部材８０は、液晶表示装置７４の周縁部に装着され液晶表示装置を支持した第１支持部８１、およびＨＤＤ４０の周縁部に装着されＨＤＤを支持した第２支持部８２を一体に備えている。
【００３１】
図８に示すように、この発明の第４の実施形態に係る携帯電話機によれば、緩衝部材８０は、第１本体６４の底壁６４ａおよびこの底壁上に設けられたプリント回路基板５４と、第１本体６４の上壁６４ｂとの間に配設されている。緩衝部材８０は、液晶表示装置７４の周縁部に装着され液晶表示装置を支持した第１支持部８１、およびＨＤＤ４０の周縁部に装着されＨＤＤを支持した第２支持部８２を一体に備えている。
【００３２】
第１支持部８１は、液晶表示装置７４の周縁部を覆っているとともに、上壁６４ｂ内面と液晶表示装置７４との間隙、および液晶表示装置とＨＤＤ４０との間隙に位置している。これにより、第１支持部８１は、底壁６４ａ、プリント回路基板５４、および上壁６４ｂに対して液晶表示装置７４を弾性的に支持している。
【００３３】
第２支持部８２は、ＨＤＤ４０の周縁部を覆っているとともに、ＨＤＤ４０と液晶表示装置７４との間隙、およびＨＤＤとプリント回路基板５４との間隙に位置している。これにより、第２支持部８１は、液晶表示装置７４に対して液晶表示装置７４を弾性的に支持している。
【００３４】
上述した第２ないし第４の実施形態において、携帯電話機の他の構成は前述した第１の実施形態と同一であり、同一の部分には同一の参照符号を付してその詳細な説明を省略する。そして、第２ないし第４の実施形態においても、第１の実施形態と同様の作用効果を得ることができる。
【００３５】
上記第１ないし第４の実施形態において、緩衝部材８０、並びに、第１および第２緩衝部材８０ａ、８０ｂは矩形枠状としたが、複数に分割して形成されていてもよい。すなわち、緩衝部材８０、並びに、第１および第２緩衝部材８０ａ、８０ｂは、図９に示すように、それぞれ液晶表示装置７４の１辺部、およびＨＤＤ４０の１辺部を支持する２つの緩衝部材で構成してもよく、あるいは、それぞれ液晶表示装置およびＨＤＤの４つの角部を支持する４つの緩衝部材で構成してもよい。また、第１および第２シェル１０ａ、１０ｂが変形し難い場所に緩衝部材を設ける構成としてもよい。
【００３６】
図１０に示すように、ＨＤＤ４０は、液晶表示装置７４よりも小さな寸法に形成されていもよい。ＨＤＤおよび液晶表示装置は、ほぼ中心が一致するように重なっている必要はなく、一方に偏った状態で重なって設けられていてもよい。
【００３７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上述した実施形態では、電子機器として、複数の筐体、つまり、第１および第２本体を備えた電子機器について説明したが、本発明はこれに限らず、単一の本体を備えた電子機器にも適用することができる。この発明は、携帯電話機に限定されることなく、電子手帳、携帯情報端末装置、ノート型パソコン、携帯翻訳機、携帯音楽装置、デジタルカメラ、携帯動画記録再生装置、携帯ブックリーダーなどに広く適用できる。ＨＤＤにおいて、磁気ディスクの枚数は１枚に限らず、必要に応じて増加可能である。磁気ディスクは、０．８５インチに限らず、１．８インチあるいは２．５インチとしてもよい。緩衝部材は、液晶表示装置の周縁部に限らず他の部分に装着してもよく、同様に、ＨＤＤの周縁部に限らず他の部分に装着してもよい。
【図面の簡単な説明】
【００３８】
【図１】この発明の第１の実施形態に係る携帯電話機を示す斜視図。
【図２】前記携帯電話機内に設けられたＨＤＤを示す斜視図。
【図３】前記ＨＤＤを示す分解斜視図。
【図４】前記携帯電話機の液晶表示装置、ＨＤＤおよび緩衝部材を示す平面図。
【図５】図１の線Ａ−Ａに沿った断面図。
【図６】この発明の第２の実施形態に係る携帯電話機を示す断面図。
【図７】この発明の第３の実施形態に係る携帯電話機を示す断面図。
【図８】この発明の第４の実施形態に係る携帯電話機を示す断面図。
【図９】この発明の他の実施形態に係る携帯電話機の液晶表示装置、ＨＤＤおよび緩衝部材を示す平面図。
【図１０】この発明の更に他の実施形態に係る携帯電話機の液晶表示装置、ＨＤＤおよび緩衝部材を示す平面図。
【符号の説明】
【００３９】
１０…筐体、  ２０…磁気ディスク、  ４０…ＨＤＤ、  ６０…携帯電話機、
６２…第１本体、  ６４…第２本体、  ６４ａ…底壁、  ６４ｂ…上壁、
７４…液晶表示装置、  ８０…緩衝部材、  ８０ａ…第１緩衝部材、
８０ｂ…第２緩衝部材、８１…第１支持部、  ８２…第２支持部
【図１】
2006073066.tif 000003
【図２】
2006073066.tif 000004
【図３】
2006073066.tif 000005
【図４】
2006073066.tif 000006
【図５】
2006073066.tif 000007
【図６】
2006073066.tif 000008
【図７】
2006073066.tif 000009
【図８】
2006073066.tif 000010
【図９】
2006073066.tif 000011
【図１０】
2006073066.tif 000012